(57)【要約】【課題】簡素な構造であるにもかかわらず、ゴルフティーを確実に固定することができると共に、他の用品や衣服等にも取り付けることが可能となるティーホルダを提供する。【解決手段】  ティーホルダ１０は、ゴルフティーを保持可能な複数の溝２５を有するホルダ本体２０と、ホルダ本体と同形且つ同寸の補助板３０と、ホルダ本体の基端と補助板の基端とを連結する可撓性を有する連結板４０とを有する。ホルダ本体の先端部分に第１磁石２３が設けられ、補助板の先端部分に第２磁石３３が設けられる。ホルダ本体の表面側に補助板が位置するように連結板を折り曲げたとき、ホルダ本体の先端部分と補助板の先端部分とが吸着し、ホルダ本体の裏面側に補助板が位置するように連結板を折り曲げたとき、ホルダ本体の先端部分と補助板の先端部分とが吸着する。【選択図】    図１
0003220487.tif 000002
【実用新案登録請求の範囲】
【請求項１】
ゴルフティーを保持可能な複数の溝が幅方向と平行に設けられた短冊板形状のホルダ本体と、
前記ホルダ本体と同形且つ同寸の短冊板形状の補助板と、
前記ホルダ本体の基端と前記補助板の基端とを連結する可撓性を有する連結板と、
前記ホルダ本体の先端部分に、前記ホルダ本体の表面側と裏面側とで逆極性になる向きに設けられた第１磁石と、
前記補助板の先端部分に、前記補助板の表面側の極性が前記第１磁石の前記ホルダ本体の表面側の極性の逆極性となる向きに設けられた第２磁石と、を具備し、
前記ホルダ本体の表面に対して前記補助板の表面が対峙するように前記連結板を折り曲げたとき、前記第１磁石と前記第２磁石との間に発生する磁力により、前記ホルダ本体の先端部分に前記補助板の先端部分が吸着され、前記ホルダ本体の裏面に対して前記補助板の裏面が対峙するように前記連結板を折り曲げたとき、前記第１磁石と前記第２磁石との間に発生する磁力により、前記ホルダ本体の先端部分に前記補助板の先端部分が吸着される、ティーホルダ。
【請求項２】
前記溝は横断面円弧状に構成され、前記溝の開口幅は前記溝の直径よりも狭い、請求項１記載のティーホルダ。
【請求項３】
前記補助板の表面側には幅方向と平行に凹部が設けられる、請求項１記載のティーホルダ。
【請求項４】
前記複数の溝が設けられた前記ホルダ本体の中間部分の厚みは、前記ホルダ本体の先端部分及び基端部分の厚みよりも薄い、請求項１記載のティーホルダ。
【請求項５】
前記ホルダ本体、前記補助板及び前記連結板は、弾性素材で一体成型されていることを特徴とする請求項１に記載のティーホルダ。
【考案の詳細な説明】
【技術分野】
【０００１】
本考案は、ゴルファーがゴルフティーを携行するためのティーホルダに関する。
【背景技術】
【０００２】
ゴルファーがゴルフをプレイするために必要な用品として様々な用品が用いられており、ティーグラウンドに突き刺して、ゴルフボールをグランドから少し上げて打つためのゴルフティーはそのうちの一つである。ゴルフティーは打った際に紛失したり、破損したりすることがあるため、ラウンド中に数本程度必要になる。ゴルファーは、ゲームを迅速に進行する為に、ゴルフティーをポケットに入れて携帯することが多く、比較的小さい用品であることから紛失したり、他の用品と当たって破損したりすることがあった。このため、数本のゴルフティーを紛失することなく携帯するために、ケース状のホルダに収納したり、ベルトにホルダを取り付けたりするもの等、様々なティーホルダが提案されている。
【考案の概要】
【考案が解決しようとする課題】
【０００３】
上記したティーホルダにあっては次のような問題があった。すなわち、ケース状のホルダはプレイ中に取り出しにくいという問題があった。また、ベルトにホルダを固定するものは、ゴルフティーの微妙な寸法差によって十分に固定することができず、ホルダから脱落する虞があった。この他、ゴルフティーを確実に固定するための構造が複雑でサイズが大きくなり、携行やプレイに支障が生じることがあった。
【０００４】
そこで、本考案は、簡素な構造であるにもかかわらず、ゴルフティーを確実に固定することができると共に、他の用品や衣服等にも取り付けることができるティーホルダを提供することを目的としている。
【課題を解決するための手段】
【０００５】
本考案の一実施形態に係るティーホルダは、ゴルフティーを保持可能な複数の溝が幅方向と平行に設けられた短冊板形状のホルダ本体と、前記ホルダ本体と同形且つ同寸の短冊板形状の補助板と、前記ホルダ本体の基端と前記補助板の基端とを連結する可撓性を有する連結板と、前記ホルダ本体の先端部分に、前記ホルダ本体の表面側と裏面側とで逆極性になる向きに設けられた第１磁石と、前記補助板の先端部分に、前記補助板の表面側の極性が前記第１磁石の前記ホルダ本体の表面側の極性の逆極性となる向きに設けられた第２磁石と、を具備する。前記ホルダ本体の表面に対して前記補助板の表面が対峙するように前記連結板を折り曲げたとき、前記第１磁石と前記第２磁石との間に発生する磁力により、前記ホルダ本体の先端部分に前記補助板の先端部分が吸着され、前記ホルダ本体の裏面に対して前記補助板の裏面が対峙するように前記連結板を折り曲げたとき、前記第１磁石と前記第２磁石との間に発生する磁力により、前記ホルダ本体の先端部分に前記補助板の先端部分が吸着される。
【考案の効果】
【０００６】
本考案の一側面によれば、簡素な構造であるにもかかわらず、ゴルフティーを確実に保持することができると共に、他の用品や衣服等にも取り付けることが可能となる。
【図面の簡単な説明】
【０００７】
【図１】本考案の一実施形態に係るティーホルダを示す斜視図である。
【図２】図１のティーホルダの第１形態を示す斜視図である。
【図３】図２のティーホルダを示す側面図である。
【図４】図２のティーホルダがゴルフティーを保持した状態を示す斜視図である。
【図５】図４のティーホルダを示す側面図である。
【図６】図２のティーホルダをスコアカードに取り付けた状態を示す図である。
【図７】図２のティーホルダをスコアカードに取り付けた状態を示す図である。
【図８】図１のティーホルダの第２形態を示す斜視図である。
【図９】図８のティーホルダを示す側面図である。
【図１０】図８のティーホルダがゴルフティーを保持した状態を示す斜視図である。
【図１１】図１０のティーホルダを示す側面図である。
【図１２】図８のティーホルダを帽子の鍔に取り付けた状態を示す斜視図である。
【考案を実施するための形態】
【０００８】
以下、図面を参照して、本考案の一実施形態に係るティーホルダを説明する。なお、ティーホルダは、ゴルファーがプレイ時に使用するゴルフティーを収容するためのものである。ゴルフティーは一般的に樹脂製であり、グランドに刺す棒状部分とゴルフボールを載せる円盤状の部分とから構成される。本実施形態に係るティーホルダは、主に２つの形態に変化させることができることを１つの特徴としている。ゴルファーは、服装や、ゴルフのプレイ状況、好みに応じて形態を変化させたティーホルダにティーホルダを装着し、携行することができる。
【０００９】
図１は本考案の一実施形態に係るティーホルダ１０を示す斜視図、図２はティーホルダ１０の第１形態を示す斜視図、図３はティーホルダ１０の第１形態を示す側面図である。
【００１０】
図１に示すように、ティーホルダ１０は、ホルダ本体２０と、補助板３０と、連結板４０とを有する。典型的には、ホルダ本体２０、補助板３０及び連結板４０は、弾性素材で一体成型されている。弾性素材として、熱可塑性エストラマー、シリコーンゴム、天然ゴム、エポキシ樹脂、ウレタン樹脂などを用いることができる。ただし、成形性、コスト、再利用性などの観点から、熱可塑性エストラマーを用いることが好ましい。もちろん、シリコーンゴムを用いることで耐久性を向上することができる。なお、ホルダ本体２０及び補助板３０を硬い樹脂や金属で形成し、連結板４０は別体の比較的柔らかい樹脂や上記素材で成形するようにしてもよい。また、ホルダ本体２０を硬い樹脂や金属で形成し、ホルダ本体２０の溝部２５だけを弾性素材で成形するようにしてもよい。
【００１１】
ホルダ本体２０は、短冊状に形成された第１板材２１を有する。ここで、第１板材２１の図１中上面を第１表面２１ａ、下面を第１裏面２１ｂとする。第１板材２１の先端部分には、円盤形状の第１磁石２３が埋設（内蔵）されている。第１磁石２３は、第１表面２１ａ側の極性と第１裏面２１ｂ側の極性とが異なるように配置される。例えば、第１磁石２３は、第１表面２１ａ側の極性がプラス、第１裏面２１ｂ側の極性がマイナスになる向きに配置されている。なお、第１板材２１の第１表面２１ａ側又は第１裏面２１ｂ側に窪みを形成し、その窪み内に第１磁石２３を収容する構成であってもよい。
【００１２】
第１板材２１の第１表面２１ａ側の長さ中央部分には、ゴルフティーＴを着脱自在に保持するための保持部が設けられる。保持部は、横断面円弧状の複数、ここでは３本の溝部２５を有する。上記の横断面は、第１板材２１の長さ方向と平行な断面である。３本の溝部２５は、第１板材２１の長さ方向に直交する方向（幅方向）に沿って等間隔に配置される。ここで、３本の溝部２５は、第１板材２１の先端側を第１溝部、基端側を第３溝部、中央を第２溝部として区別する。溝部２５の内径はゴルフティーＴの外径より僅かに小さく、溝部２５の開口幅は、溝部２５の内径よりも狭い。これにより、溝部２５は、その内側への弾性力によりゴルフティーＴの棒状部分の外周面を強固に保持することができるとともに、溝部２５からのゴルフティーＴの脱落可能性を低減することができる。また、溝部２５は、その開口面が、第１表面２１ａよりもわずかに低い位置になるように設けられる。換言すると、第１板材２１における３本の溝部２５が形成されている中間部分の厚みは、第１板材２１の先端部分や基端部分の厚みよりもわずかに薄い。図３に示すように、第１表面２１ａから溝部２５の最深部までの深さをＤ１と表記する。深さＤ１は溝部２５の内径と等価又は溝部２５の内径よりもわずかに深い。これにより、溝部２５に保持されたゴルフティーＴに後述の補助板３０が接触する可能性を低減することができる。
【００１３】
補助板３０は、短冊状に形成された第２板材３１を有する。典型的には、第２板材３１は第１板材２１と同形且つ同寸に構成される。第２板材３１の図１中上面を第２表面３１ａ、下面を第２裏面３１ｂとする。第２板材３１の先端部分には、典型的には第１磁石２３と同形且つ同寸の円盤形状の第２磁石３３が埋設（内蔵）されている。第２磁石３３は、第２表面３１ａ側の極性が第１磁石２３の第１表面２１ａ側の極性と異なる向きに配置される。例えば、第１磁石２３の第１表面２１ａ側の極性がプラス、第１裏面２１ｂ側の極性がマイナスであるとき、第２磁石３３は、第２表面３１ａ側の極性がマイナス、第２裏面３１ｂ側の極性がプラスになる向きに配置される。なお、第２板材３１の第２表面３１ａ側又は第２裏面３１ｂ側に窪みを形成し、その窪み内に第２磁石３３を収容する構成であってもよい。
【００１４】
第２板材３１の第２表面３１ａ側の長さ中央部分には、幅方向と平行に断面矩形状の凹部３５が設けられる。図２、図３に示すように、第２板材３１の長さ方向に関する凹部３５の幅は広い。本実施形態では、第２板材３１の長さ方向に関する凹部３５の幅は、第１板材２１の第１、第２溝部２５を覆うのに必要な幅に構成される。しかしながら、その幅は、第１板材２１の３本の溝部２５のうち少なくとも１本を覆うのに必要な幅に構成されていればよい。これにより、後述の図４、図５に示すような第１形態に変化されたティーホルダ１０の溝部２５にゴルフティーＴが保持されている場合であっても、溝部２５に保持されたゴルフティーＴに補助板３０が接触する可能性を低減することができ、ゴルフティーＴの損傷リスクを低減することができる。図３に示すように、第２表面３１ａから凹部３５の最深部までの深さをＤ２と表記する。
【００１５】
連結板４０は、ホルダ本体２０の基端側と補助板３０の基端側とを連結する可とう性を有する板材である。連結板４０は、第１板材２１及び第２板材３１と同幅に構成される。連結板４０の厚みは、第１板材２１及び第２板材３１より薄く、これにより容易に折曲させることができる。図１に示す二点鎖線Ｋが折曲部分となる。連結板４０を折曲させることで、ティーホルダ１０は、ホルダ本体２０の第１表面２１ａに対して補助板３０の第２表面３１ａが対峙する第１形態（図２、図３参照）とホルダ本体２０の第１裏面２１ｂに対して補助板３０の第２裏面３１ｂが対峙する第２形態（後述の図８、図９参照）とのうち、いずれかの形態に変化させることができる。
【００１６】
なお、いずれの形態においても、ホルダ本体２０の第１磁石２３と補助板３０の第２磁石３３とは、逆極性で正対する。したがって、ホルダ本体２０の先端部分と補助板３０の先端部分とがある程度近接したところで、磁力による吸引力により吸着する。なお、本実施形態では、ホルダ本体２０と補助板３０とにそれぞれ磁石が設けられ、これにより、ホルダ本体２０に対して補助板３０を強固に吸着させることができる。ただし、第１磁石２３と第２磁石３３とのうち一方が磁性体であってもよい。磁性体は向きを気にする必要がないため、ティーホルダ１０を製造する際の組立性が向上する。
【００１７】
次に、第１形態におけるティーホルダ１０の使用方法について説明する。  
図４は、第１形態におけるティーホルダ１０の使用状態を示す斜視図、図５は、第１形態におけるティーホルダ１０の使用状態を示す側面図である。既に説明しているように、ティーホルダ１０の第１形態は、ホルダ本体２０の第１表面２１ａに対して補助板３０の第２表面３１ａが対峙する、外見上、クリップのような形態である。
【００１８】
図４、図５に示すように、ゴルフティーＴを溝部２５に差し込む。溝部２５の内径はゴルフティーＴの外径よりも若干狭く形成されていると共に、ホルダ本体２０及びゴルフティーＴはいずれも樹脂材で形成されているため、弾性力及び摩擦力により支持され、溝部２５から脱落することはない。
【００１９】
これらの弾性力及び摩擦力はゴルフティーＴを保持するには十分な力であるが、ゴルファーの指による引張力より十分に小さいため、ゴルファーがゴルフティーＴを取り出す時に簡単に取り出せる。このようにティーホルダ１０にゴルフティーＴに保持させた状態でポケット等に収納することができる。ポケット内にティーホルダ１０を収納した状態で多少動作してもゴルフティーＴはティーホルダ１０から容易には脱落せず、破損・紛失することはない。また、図３に示すように、補助板３０の凹部３５の深さＤ２は、ホルダ本体２０の溝部２５の深さＤ１と略等価、又は溝部２５の深さＤ１よりも浅い。つまり、補助板３０の凹部３５の深さＤ２は、ゴルフティーＴの棒状部分の直径より短い。これにより、ゴルフティーＴが溝部２５から脱落することを防止することができる。なお、凹部３５は後述するように別の用品が入る空間として利用することができる（後述の図６、図７参照）。
【００２０】
次に、第１形態におけるティーホルダ１０の応用的な使用方法について説明する。図６、図７はティーホルダ１０をスコアカードＳに取り付けた状態を示す図である。スコアカードＳは、ゴルフをプレイする際に使う用品の一つであり、ゴルファーは通常携行しているものである。
【００２１】
図６に示すように、ティーホルダ１０をスコアカードＳのシートに挟み込んで携行することができる。この時、ホルダ本体２０と補助板３０との間にスコアカードＳを配置した状態で、ホルダ本体２０及び補助板３０の先端同士を近接させ、第１、第２磁石２３，３３の間に発生する磁力により、ティーホルダ１０をスコアカードＳに装着することができる。磁力によって装着するため、ティーホルダ１０をスコアカードＳの任意の位置に装着することができる。また、スコアカードＳは鉛筆やペン等の筆記具Ｐと合わせて使うため、図６及び図７に示すように、筆記具ＰをスコアカードＳに引っ掛けた上で、筆記具Ｐのペン先を補助板３０の凹部３５内に納めることで、スコアカードＳが汚れたり、ペン先が折れたりすることを防止することができる。このように、補助板３０の凹部３５は、ゴルフティーＴの溝部２５からの脱落を防止するとともに、ペン先を保護する機能を兼用する。
【００２２】
次に、第２形態におけるティーホルダ１０の使用方法について説明する。  
図８は、ティーホルダ１０の第２形態を示す斜視図、図９は、ティーホルダ１０の第２形態を示す側面図、図１０は、第２形態におけるティーホルダ１０の使用状態を示す斜視図、図１１は、第２形態におけるティーホルダ１０の使用状態を示す側面図、図１２は、第２形態におけるティーホルダ１０を帽子の鍔に取り付けた状態を示す斜視図である。
【００２３】
既に説明しているように、図８、図９に示すように、ティーホルダ１０の第２形態は、ホルダ本体２０の第１裏面２１ｂに対して補助板３０の第２裏面３１ｂが対峙する、外見上、クリップのような形態である。図４で説明したのと同様に、第２形態のティーホルダ１０の溝部２５にゴルフティーＴを差し込む。溝部２５によるゴルフティーＴの保持力は同様である。したがって、ゴルファーは、連結板４０を使用し易い方向に折曲して使用することができる。第２形態のティーホルダ１０は、帽子Ｃの鍔に取り付けることができる。この場合、溝部２５が外側に露出するため、ゴルファーは、ティーホルダ１０を装着した帽子Ｃを被った状態でも、ゴルフティーＴをティーホルダ１０に装着したり、ティーホルダ１０から取り外したりを容易にすることができる。また、金属製のボールマーカであれば、ティーホルダ１０の第１磁石２３に吸着させて、ゴルフティーＴとともに携行することができる。もちろん、第２形態に変形させたティーホルダ１０を、洋服に挟んで使用することもできる。
【符号の説明】
【００２４】
１０…ティーホルダ、２０…ホルダ本体、２１、３１…板材、２１ａ…第１表面、２１ｂ…第１裏面、２３…第１磁石、２５…溝部、３０…補助板、３１ａ…第２表面、３１ｂ…第２裏面、３３…第２磁石、３５…凹部、４０…連結板、Ｃ…帽子、Ｐ…筆記具、Ｓ…スコアカード、Ｔ…ゴルフティー。
【図１】
0003220487.tif 000003
【図２】
0003220487.tif 000004
【図３】
0003220487.tif 000005
【図４】
0003220487.tif 000006
【図５】
0003220487.tif 000007
【図６】
0003220487.tif 000008
【図７】
0003220487.tif 000009
【図８】
0003220487.tif 000010
【図９】
0003220487.tif 000011
【図１０】
0003220487.tif 000012
【図１１】
0003220487.tif 000013
【図１２】
0003220487.tif 000014